(57)【要約】  本発明はウッドブロックモジュールに関するものであり、より具体的にはレベル調節ができるウッドブロックモジュールに関するものである。  上記の目的を達成するための本発明の実施例によるウッドブロックモジュールは長い方向に両側の側面にデッキ溝（Ｇｒｏｏｖｅ）が形成されたウッドブロック（Ｄｅｃｋ  Ｂｌｃｏｋ）及び上記のウッドブロックの下部に配置されて、上記のウッドブロックが安着されるデッキベース（Ｄｅｃｋ  Ｂａｓｅ）を含めて、上記のデッキベースは四角枠の形状の枠（Ｆｒａｍｅ）、上記の枠の中央に位置するコア（Ｃｏｒｅ）、上記のコアから放射状に延長されて、上記のコアと上記の枠を連結する連結橋（Ｃｏｎｎｅｃｔｉｏｎ  Ｂｒｉｄｇｅ）、上記の枠の外側面から上記の連結橋と直交する方向に延長される延長部（Ｅｘｔｅｎｄｅｄ  Ｐａｒｔ）及び上記の延長部の先端から上記の連結橋と並ぶ方向に突出されて、上記のウッドブロックの上記のデッキ溝に対応される突出部（Ｐｒｏｔｒｕｄｅｄ  Ｐａｒｔ）を含むことができる。
2021514434.tif 000002
【特許請求の範囲】
【請求項１】
両側の側面に長さ方向にデッキ溝（Ｇｒｏｏｖｅ）が形成されたウッドブロック（Ｗｏｏｄ  Ｂｌｏｃｋ）；及び
上記のウッドブロックの下部に配置されて、上記のウッドブロックが安着されるデッキベース（Ｄｅｃｋ  Ｂａｓｅ）；
を含み、
上記のデッキベースは
四角枠の形状の枠（Ｆｒａｍｅ）；
上記の枠の中央に位置するコア（Ｃｏｒｅ）；
上記のコアから放射状に延長されて、上記のコアと上記の枠を連結する連結橋（Ｃｏｎｎｅｃｔｉｏｎ  Ｂｒｉｄｇｅ）；
上記の枠の外側面から上記の連結橋と直交する方向に延長される延長部（Ｅｘｔｅｎｄｅｄ  Ｐａｒｔ）；及び
上記の延長部の先端から上記の連結橋と並ぶ方向に突出されて、上記のウッドブロックの上記のデッキ溝に対応される突出部（Ｐｒｏｔｒｕｄｅｄ  Ｐａｒｔ）；
を含み、
上記のデッキベースの下部に配置されるピラー部（Ｐｉｌｌａｒ  Ｐａｒｔ）；及び
上記のピラー部の一測の先端に配置される防振ゴム；
をさらに含み、
上記のピラー部の他側の先端の少なくとも一部はコアに挿入されて、
上記のデッキベースは
第１辺（Ｆｉｒｓｔ  Ｓｉｄｅ）；
上記の第１辺に隣接する第２辺（Ｓｅｃｏｎｄ  Ｓｉｄｅ）；
上記の第２辺に隣接して上記の第１辺に対向する第３辺（Ｔｈｉｒｄ  Ｓｉｄｅ）；
上記の第２辺に対向して上記の第１辺及び上記の第３辺に隣接する第４辺（Ｆｏｕｒｔｈ  Ｓｉｄｅ）；及び
上記の第２辺及び上記の第４辺と並ぶ方向に上記の第１辺から上記の第３辺まで延長される第１壁（Ｆｉｒｓｔ  Ｗａｌｌ）、第２壁（Ｓｅｃｏｎｄ  Ｗａｌｌ）及び第３壁（Ｔｈｉｒｄ  Ｗａｌｌ）；
をさらに含み、
上記の第２壁は上記の第１壁と上記の第３壁の間に位置して、
上記のデッキベースと上記のウッドブロックの間に配置される緩衝部をさらに含み、
上記の緩衝部は
上記の第１壁と上記の第２壁の間の空間に挿入される第１緩衝脚；及び
上記の第２壁と上記の第３壁の間の空間に挿入される第２緩衝脚；
を含むレベル調節及び衝撃吸収ができるウッドブロックモジュール。
【請求項２】
上記の第１、２、３壁は
上記のコアと上記の第２辺の間の領域及び上記のコアと上記の第４辺の間の領域にそれぞれ配置されて、
上記の緩衝部はゴム材質を含み、
上記の第１、２、３壁は少なくとも一つの上記の連結橋を渡って分割する
請求項１に記載のウッドブロックモジュール。
【請求項３】
上記のピラー部は第１ピラー及び第２ピラーを含み、
上記の第１ピラーの一測は上記の第２ピラーの他側と連結されて、
上記の第１ピラーの他側の先端の少なくとも一部は上記のコアに挿入されて、
上記の防振ゴムは上記の第２ピラーの一測の先端に配置されて、
上記の第１ピラーの高さは上記の第２ピラーの高さと異なる、請求項１または２に記載のウッドブロックモジュール。
【請求項４】
上記のデッキベースの下部で上記の第１壁、上記の第２壁及び上記の第３壁はお互いに連結される、請求項１から３のいずれか一項に記載のウッドブロックモジュール。
【発明の詳細な説明】
【技術分野】
【０００１】
本発明はウッドブロックモジュールに関するものであり、より具体的にはレベル調節及び衝撃吸収ができるウッドブロックモジュールに関するものである。
【背景技術】
【０００２】
従来のウッドブロックは複雑な下部構造材を固定し用いるので、所要コストが高く、高さの調節が難しいだけでなく、下部構造材に異物が挟まって排水がスムーズにいかず、ウッドブロックのねじれ現状が発生し、異物の除去が難しく、長期間放置の際、悪臭が発生する瑕疵の原因となる問題点があった。
【０００３】
このような問題点を解決するために、大韓民国特許登録番号第１０−０８５８８４３号「床材の下部支持台の組立構造」発明特許では下部支持台が体育館のようなセメントの床のような床に固定されて床を形成するようになって、床に固定された下部支持台の結合顎が床材の側面に形成された側面結合溝に挿入されて床材を支持して下部支持台が床にまず固定された状態で床材を圧入して組み立てることになって、組み立てられた床材は床に固定された下部支持台により四つの側面がすべて支持されるので、別の接着剤を用いなくても堅固に支持されて、床組立体の局部的な分解と交替ができ、撤去の場合にも下部支持台はそのままにおいて床材のみ交替することができ、コストと廃棄物の発生及び騒音を大きく減らすことができる床材の下部支持台の組立構造が提案されたが、室外に木材デッキを設置する場合、床との空間調節する施工が難しく、床に異物が挟まる問題点を解決するのには限界がある。
【０００４】
また、大韓民国特許登録番号第１０−１４５２３８０号「新環境ウッドブロック及びその製造方法」ではウッドフレームの床面に雨水及び雪解け水などが排出されるようにする排出口が形成されるようにする技術構成が提案されたが、これもまた床との空間調節が難しく、床に異物が挟まる問題点を解決するのには限界がある。
【０００５】
これにより該当の技術分野においてはウッドブロックモジュールを簡単に制作し、複雑な下部構造体を未設置または簡素化して、施工コストと施工時間を大幅に節減するための技術の開発が求められている。
【発明の概要】
【発明が解決しようとする課題】
【０００６】
本発明は上記の問題点を解決するためのものであり、単独的な施工と簡便な組立ができるようにするためのウッドブロックモジュールを提供するためのものである。
【０００７】
また、本発明は簡便な補修の目的と設置コストの工事費の節減と違和感の歩行感と雑音の発生を最小化するためのウッドブロックモジュールを提供するためのものである。
【０００８】
また、本発明はレベル調節が可能なレベル調節ピラー及び／または緩衝部を設置することによって、衝撃及び／または雑音を吸収することができるウッドブロックモジュールを提供するためのものである。
【０００９】
また、本発明はレベル調節ピラー及び／または緩衝部を設置することによって、歩行者の歩行感を向上させるためのウッドブロックモジュールを提供するためのものである。
【００１０】
しかし、本発明の目的らは上記に言及された目的に制限されなく、言及されていないまたの他の目的は以下の記載から同業者に明らかに理解できるだろう。
【課題を解決するための手段】
【００１１】
上記の目的を達成するための本発明の実施例によるウッドブロックモジュールは長い方向に両側の側面にデッキ溝（Ｇｒｏｏｖｅ）が形成されたウッドブロック（Ｄｅｃｋ  Ｂｌｃｏｋ）及び上記のウッドブロックの下部に配置されて、上記のウッドブロックが安着されるデッキベース（Ｄｅｃｋ  Ｂａｓｅ）を含めて、上記のデッキベースは四角枠の形状の枠（Ｆｒａｍｅ）、上記の枠の中央に位置するコア（Ｃｏｒｅ）、上記のコアから放射状に延長されて、上記のコアと上記の枠を連結する連結橋（Ｃｏｎｎｅｃｔｉｏｎ  Ｂｒｉｄｇｅ）、上記の枠の外側面から上記の連結橋と直交する方向に延長される延長部（Ｅｘｔｅｎｄｅｄ  Ｐａｒｔ）及び上記の延長部の先端から上記の連結橋と並ぶ方向に突出されて、上記のウッドブロックの上記のデッキ溝に対応される突出部（Ｐｒｏｔｒｕｄｅｄ  Ｐａｒｔ）を含むことができる。
【００１２】
また、上記の突出部の断面は、円、楕円、ダイヤモンド、菱形または四角の形態の中の少なくとも一つであることができる。
【００１３】
また、上記のコアの内側に放射状に配置される内部橋（Ｉｎｎｅｒ  Ｂｒｉｄｇｅ）をさらに含めて、上記の内部橋の高さは上記の連結橋及び上記のコアの中の少なくとも一つの高さより低いことができる。
【００１４】
また、上記のデッキベースの下部に配置されるレベル調節ピラー（Ｐｉｌｌａｒ）をさらに含めて、上記のレベル調節ピラーの一側の先端は上記のコアに挿入されることができる。
【００１５】
また、上記のデッキベースは、上記の枠の外側面から上記の連結橋と並ぶ方向に延長される雄連結部（Ｐｏｓｉｔｉｖｅ  Ｃｏｎｎｅｃｔｉｏｎ  Ｐａｒｔ）と雌連結部（Ｎｅｇａｔｉｖｅ  Ｃｏｎｎｅｃｔｉｏｎ  Ｐａｒｔ）をさらに含むことができる。
【００１６】
また、上記のデッキベースは上記の枠の対向する二つの辺を少なくとも一つの上記の連結橋を渡って連結する安着部をさらに含めて、上記の安着部に安着され、ゴム材質を含む緩衝部をさらに含むことができる。
【発明の効果】
【００１７】
本発明の実施例によるウッドブロックモジュールは従前対比低いコストで施工が可能であり、施工時間を革新的に短縮させて、補修が非常に簡便な効果を提供する。
【００１８】
また、本発明の他の実施例によるウッドブロックモジュールは衝撃吸収を通じて快適な歩行感とパターン施工で粗悪なデッキ施工の美を補強することができる効果を提供する。
【００１９】
だけではなく、本発明の他の実施例によるウッドブロックモジュールはレベル調節が敵るレベル調節ピラー及び／または緩衝部を設置することによって、容易で簡単に設置することができ、防振ゴムの付着で歩行し発生する雑音を吸収して歩行感を高めることができる効果を提供する。
【図面の簡単な説明】
【００２０】
【図１】図１は本発明によるウッドブロックモジュールの構成について説明するための図面である。
【図２】図２はウッドブロックモジュールのデッキベースについて詳しく説明するための図面である。
【図３】図３はウッドブロックモジュールのデッキベースについて詳しく説明するための図面である。
【図４】図４はウッドブロックモジュールのデッキベースについて詳しく説明するための図面である。
【図５】図５は本発明によるウッドブロックモジュールの施工方法を説明するための図面である。
【図６】図６は本発明によるウッドブロックモジュールの施工方法を説明するための図面である。
【図７】図７は本発明によるウッドブロックモジュールの構成の他の構成について説明するための図面である。
【図８】図８は本発明によるウッドブロックモジュールの構成の他の構成について説明するための図面である。
【図９】図９は本発明によるウッドブロックモジュールの構成の他の構成について説明するための図面である。
【図１０】図１０は本発明によるウッドブロックモジュールの構成の他の構成について説明するための図面である。
【図１１】図１１は本発明によるウッドブロックモジュールの構成の他の構成について説明するための図面である。
【図１２】図１２は本発明によるウッドブロックモジュールの構成の他の構成について説明するための図面である。
【図１３】図１３は本発明によるウッドブロックモジュールの構成の他の構成について説明するための図面である。
【図１４】図１４は本発明によるウッドブロックモジュールの構成の他の構成について説明するための図面である。
【図１５】図１５は本発明によるウッドブロックモジュールの構成の他の構成について説明するための図面である。
【発明を実施するための形態】
【００２１】
以下、添付された図面を参考にして、本発明によるレベルの調節及び衝撃の吸収ができるウッドブロックモジュールについて詳しく説明する。
【００２２】
本発明は様々な変更を加えることができ、様々な実施例を有することができることから、特定の実施例を図面に例示して、詳細な説明に詳しく説明しようとする。これは本発明を特定な実施形態について限定しようとすることではなく、本発明の思想及び技術範囲に含まれるすべての変更、均等物及び代替物を含むこととして理解することができる。
【００２３】
本発明を説明することにおいて、第１、第２などの用語は様々な構成要素を説明するのに用いることができるが、上記の構成要素は上記の用語により限定されないことができる。上記の用語は一つの構成要素を他の構成要素から区別する目的のみに用いることができる。例えば、本発明の権利範囲を逸脱しなく、第１構成要素は第２構成要素で命名されることができ、類似に第２構成要素も第２構成要素と命名されることができる。
【００２４】
及び・またはという用語は複数の関連され記載された項目の組み合わせまたは複数の関連され記載された項目のいずれかを含むことができる。
【００２５】
ある構成要素が他の構成要素に「連結されて」いるか「接続されて」いるというように言及される場合は、その他の構成要素に直接に連結されていたり、または接続されていることもあるが、中間に他の構成要素が存在することもあるというように理解することができる。一方に、ある構成要素が他の構成要素に「直接連結されて」いたり、「直接接続して」いると言及される際には、中間に他の構成要素が存在していないものと理解することができる。
【００２６】
本出願で用いた用語は単に特定な実施例を説明するために用いられたものであり、本発明を限定いようとする意図ではない。単数の表現は文脈上、明らかに異なるものを意味しない限り、複数の表現を含むことができる。
【００２７】
本出願で、「含む」または「有する」などの用語は明細書上に記載された特徴、数字、段階、動作、構成要素、部品またはこれらを組み合わせたものが存在することを指定しようとするものとして、一つまたはそれ以上の他の特徴や数字、段階、動作、構成要素、部品またはこれらを組み合わせたもの存在または付加可能性を予め排除しないものと理解することができる。
【００２８】
他に定義されない限り、技術的だったり、科学的な用語を含めて、ここで用いられるすべての用語は本発明が属する技術分野で通常の知識を有するものにより一般的に理解されるものと同一な意味を有することができる。一般的に用いられる辞書に定義されているものと同じ用語は関連医術の文脈上有する意味と一致する意味を有するものと解釈されることができ、本出願で明らかに定義しない限り、理想的だったり、過度に形式的な意味で解釈されないことができる。
【００２９】
あわせて、以下の実施例は同業界で平均的な知識を有する者により完全に説明するために、提供されるものであり、図面での要素の形状及びサイズなどはより明確な説明のために誇張されることができる。
【００３０】
以下で本発明を説明することにおいて、関連された公知の機能または構成に関する具体的な説明が本発明の要旨を不要に曖昧にすることができると判断される場合には、その詳細な説明を省略することができる。
【００３１】
図１は本発明によるウッドブロックモジュールの構成について説明するための図面であり、図２から図４はウッドブロックモジュールのデッキベースについて詳しく説明するための図面である。
【００３２】
図１を見ると、本発明によるウッドブロックモジュール（Ｄｅｃｋ  Ｍｏｄｕｌｅ、１）はウッドブロック（Ｄｅｃｋ  Ｂｌｏｃｋ、１０）及びデッキベース（Ｄｅｃｋ  Ｂａｓｅ、２０）を含むことができる。
【００３３】
ウッドブロック１０は直四角のプレート（Ｐｌａｔｅ）の形状で、ウッドブロック１０の両側面には長さ方向にデッキ溝（Ｇｒｏｏｖｅ、１１）が形成されることができる。
【００３４】
あわせて、ウッドブロック１０の上部には、歩行の際に滑りを防止するための多数の突起（エンボッシングの形態）が形成されることができる。
【００３５】
このようなウッドブロック１０を「デッキ材」と称することができる。
【００３６】
ウッドブロック１０は、木の材質、樹脂材質及び／または金属材質などで制作されることができる。例えば、ウッドブロック１０が木の材質で制作される場合には、ウッドブロック１０を「ウッドブロック」と称することができる。
【００３７】
デッキベース２０にはウッドブロック１０の下部に配置されて、ウッドブロック１０が安着されることができる。詳しくは、ウッドブロック１０のデッキ溝１１がデッキベースの一部と結合されることができる。
【００３８】
デッキベース２０については以下でより詳しく説明することにする。
【００３９】
本発明によるウッドブロックモジュール１はデッキベース２０の下部に配置されるレベル調節ピラー（Ｐｉｌｌａｒ、３０）をさらに含むことができる。
【００４０】
レベル調節ピラー３０は高さの調節が容易になるように第１ピラー３１、第２ピラー３２及びウッドブロック足用の防振ゴム３３を含むことができる。ここで、第１ピラー３１の高さと第２ピラー３２の高さは異なることがある。
【００４１】
第１ピラー３１、第２ピラー３２及び防振ゴム３３は順次につながることができる。
【００４２】
高さの調節のために、第１ピラー３１、第２ピラー３２及び防振ゴム３３の中の少なくとも一つは省略されることができる。例えば、第１ピラー３１、第２ピラー３２及び防振ゴム３３を順次につないで、ピラー４０として用いたり、第１ピラー３１と防振ゴム３３をつないでピラー４０として用いたり、第２ピラー３２と防振ゴム３３をつないでピラー３０として用いたり、防振ゴム３３のみを用いてピラー３０として用いることができる。または、場合によっては、ピラー３０を用いないこともできる。
【００４３】
このように、デッキベース２０の下部にピラー３０を配置すれば、高さレベルの調節ができ、場所に関係なく容易で簡単に設置することができて、最終下端部に防振ゴムに該当するウッドブロック足用の防振ゴム３３の付着仕上げで、歩行の際に発生する雑音を吸収して歩行感を高めることができる。ここで、デッキベース２０の高さレベル値を５ｍｍから１０ｍｍ単位に調節できるようにすることが望ましく、最大１００ｍｍまで調節ができることが望ましい。
【００４４】
デッキベース２０について添付された図２を参考にしてより詳しく見ると、以下のようである。
【００４５】
図２を見ると、デッキベース２０は四角枠の形状の枠（Ｆｒａｍｅ、２６）、コア（Ｃｏｒｅ、２２）、連結橋（Ｃｏｎｎｅｃｔｉｏｎ  Ｂｒｉｄｇｅ、２５、２５ａ、２５ｂ）、延長部（Ｅｘｔｅｎｄｅｄ  Ｐａｒｔ、２１、２１ａ、２１ｂ）及び突出部（Ｐｒｏｔｒｕｄｅｄ  Ｐａｒｔ、２８、２８ａ、２８ｂ、２８ｃ）を含むことができる。
【００４６】
枠２６、コア２２、連結橋２５、２５ａ、２６ｂ、延長部２１、２１ａ、２１ｂ及び突出部２８、２８ａ、２８ｂ、２８ｃは一体に形成されることができる。
【００４７】
あわせて、デッキベース２０の材質は制限されない。例えば、デッキベース２０は木の材質、金属材質、樹脂材質などで制作されることができる。望ましくは、デッキベース２０は樹脂材質で制作されることができる。この場合には、デッキベース２０の材料のコストを削減することができ、制作にかかる時間を短縮することができて、構造的な安定性を確保しながらも、制作単価を減らすことができる。
【００４８】
コア２２は枠２６の中央に位置することができ、その形態が様々であることができる。コア２２の断面は、以下で説明するレベル調節ピラー３０都の連結性及び構造的な安定性などを考慮する際、円、楕円、ダイヤモンド、菱形または四角などの多角形の形態の中の少なくとも一つであることができる。望ましくは、コア２２の断面は円または楕円の形態であることが望ましい。コア２２の断面が円または楕円の形態である場合、コアは円筒形であることができる。
【００４９】
連結橋２５、２５ａ、２５ｂはコア２２０から放射状に延長されて、コア２２と枠２６を連結することができる。
【００５０】
このような連結橋２５、２５ａ、２５ｂはデッキベース２０の構造的な安定性を向上させることができる。
【００５１】
連結橋２５、２５ａ、２５ｂはその形態を基準に第１連結橋２５ａと第２連結橋２５ｂに区分することができる。以下では説明の便宜のために、第１連結橋２５ａと第２連結橋２５ｂを区分しなく、連結橋２５と通称することにする。
【００５２】
延長部２１、２１ａ、２１ｂは枠２６の外側面から連結橋２５と直交する方向に延長されることができる。例えば、連結橋２５が水平方向（Ｈｏｒｉｚｏｎｔａｌ  Ｄｉｒｅｃｔｉｏｎ）に延長される場合、延長部２１、２１ａ、２１ｂは垂直方向（Ｖｅｒｔｉｃａｌ  Ｄｉｒｅｃｔｉｏｎ）に延長されることができる。
【００５３】
異なる表現にすると、延長部２１、２１a、２１ｂはウッドブロックモジュール１の前面方向またはウッドブロック１０が向かう方向に延長されることができる。
【００５４】
突出部２８、２８ａ、２８ｂ、２８ｃは延長部２１、２１ａ、２１ｂの先端から連結橋２５と並ぶ方向に突出されることができる。例えば、突出部２８及び連結橋２５は水平方向に延長されることができる。
【００５５】
このような、突出部２８の形態は様々に変更されることができる。例えば、突出部２８の断面は円、楕円、ダイヤモンド、菱形、台形または四角などの多角形の形態の中の少なくとも一つであることができる。
【００５６】
もし、突出部２８の断面が円または楕円である場合には、突出部２８の全体的な形状は球または半球の形態であることができる。
【００５７】
あわせて、２８、２８ａ、２８ｂ、２８ｃはウッドブロック１０のデッキ溝１１に対応することができる。例えば、一つのウッドブロック１０の両側のデッキ溝１１がそれぞれ第１延長部２１ａの第１突出部２８ａと第２延長部２１ｂの第２突出部２８ｂに挟まることができる。これにより、ウッドブロック１０がデッキベース２０に安着されることができる。
【００５８】
図２では一つのデッキベース２０を単独に説明したが、本発明によるウッドブロックモジュール１では複数個のデッキベース２０がｎ×ｍのパターン（ｎ、ｍは１より大きいか同じ定数）で一体に制作されることができる。図１は総９個のデッキベース２０が３×３のパターンで一体に制作される場合に該当することができる。
【００５９】
以下では、複数個のデッキベース２０が一体に制作されるものをマザーデッキベース（Ｍｏｔｈｅｒ  Ｄｅｃｋ  Ｂａｓｅ）と称することができる。あわせて、マザーデッキベースに含まれたそれぞれのデッキベースはユニットデッキベース（Ｕｎｉｔ  Ｄｅｃｋ  Ｂａｓｅ）と称することができる。
【００６０】
マザーデッキベースの最外郭ユニットデッキベースには第１延長部２１ａ及び第１突出部２８ａが配置されることができる。異なる表現にすると、第１延長部２１ａ及び第１突出部２８ａはマザーデッキベースの外郭の枠に形成されることができる。
【００６１】
このような場合、第１延長部２１ａ及び第１突出部２８ａは一つのウッドブロック１０に対応されることができる。
【００６２】
異なる観点から見れば、第１延長部２１ａにはコア２２に向ける端方向の突起、すなわち、第１突出部２８ａが形成されることにも見ることができる。
【００６３】
マザーデッキベースに含まれたユニットデッキベースの間には第２延長部２１ｂ、第２突出部２８ｂ及び第３突出部２８ｃら配置されることができる。異なる表現にすると、第２延長部２１ｂ、第２突出部２８ｂ及び第３突出部２８ｃはマザーデッキベースの内側に形成されることができる。
【００６４】
他の観点から見ると、第２延長部２１ｂにはコア２２に向ける方向に突出されて、コア２２から離れる方向にも突出される両方向の突起、すなわち、第２突出部２８ｂと第３突出部２８ｃが形成されることにも見ることができる。
【００６５】
このような場合、第２延長部２１ｂは両側の二つのウッドブロック１０に対応されることができる。これは、以下の図面５から図６から明らかになることができる。
【００６６】
デッキベース２０は雄連結部（Ｐｏｓｉｔｉｖｅ  Ｃｏｎｎｅｃｔｉｏｎ  Ｐａｒｔ、２４ａ）と雌連結部（Ｎｅｇａｔｉｖｅ  Ｃｏｎｎｅｃｔｉｏｎ  Ｐａｒｔ、２４ｂ）を含む連結部（Ｃｏｎｎｅｃｔｉｏｎ  Ｐａｒｔ、２４）及び側部仕上げ端２３をさらに含むことができる。
【００６７】
雄連結部２４ａは雌連結部２４ｂはそれぞれ枠２６の外側面から連結橋２５と並ぶ方向に延長されることができる。
【００６８】
雄連結部２４ａは隣接する他のデッキベース２０の雌連結部２４ｂに対応されて、雌連結部２４ｂは隣接する他のデッキベース２０の雄連結部２４ａに対応されることができる。異なる表現にすると、雄連結部２４ａは隣接する他のデッキベース２０の雌連結部２４ｂと結合して、雌連結部２４ｂは隣接する他のデッキベース２０の雄連結部２４ａと結合することができる。これによって、別のデッキベース２０らがお互いに連結されることができる。
【００６９】
マザーデッキベースの場合には、マザーデッキベースに含まれる複数のユニットデッキベースの中で、最外郭ユニットデッキベースの外郭の枠に雄連結部２４ａ及び／または雌連結部２４ｂが形成されることできる。
【００７０】
側部仕上げ端２３は枠２６の外側面から連結橋２５と直交する方向に延長されることができる。
【００７１】
このような、側部仕上げ端２３はデッキベース２０に安着されるウッドブロック１０の離脱を防止することできる。
【００７２】
マザーデッキベースの場合、マザーデッキベースに含まれた複数のユニットデッキベースの中で最外郭ユニットデッキベースの外郭枠に側部仕上げ端２３が形成されることができる。
【００７３】
コア２２の内側には放射状に配置される内部橋（Ｉｎｎｅｒ  Ｂｒｉｄｇｅ、２７）が形成されることができる。内部橋２７はデッキベース２０の構造的な安定性を向上させることができる。
【００７４】
図３なし図４を見ると、デッキベース２０の下部で、内部橋２７はコア２２の先端から所定の深さＷ１ほどに引き込まれて設置されることができる。
【００７５】
このような場合、レベル調節ピラー３０の一側先端はコア２２に挿入されて、これにより構造的な安定性が向上されることができる。
【００７６】
コア２２にレベル調節ピラー３０の一部が挿入されることにより、内部橋２７の高さＴ２は連結橋２５の高さＴ１及び／またはコア２２の高さより低いことができる。
【００７７】
レベル調節ピラー３０の一部がコア２２に挿入されるために、レベル調節ピラー３０の先端の幅Ｗ２は隣接する他の部分の幅Ｗ３よりさらに小さいことができる。
【００７８】
これにより、レベル調節ピラー３０の先端の周辺部がコア２２の壁にかかる可能性があり、レベル調節ピラー３０が過度にコア２２に挿入されることを防止することができる。
【００７９】
図５から図６は本発明によるウッドブロックモジュールの施工方法を説明するための図面である。以下では、以上で説明した部分について説明は省略されることができる。
【００８０】
図５を参考にすれば、ａのようにｎ個（ｎは３以上の奇数）以上のデッキベース２０を含むマザーデッキベースで中央に位置するユニットデッキベースの２個の延長部２１、２１ａ、２１ｂの中の一つで、ウッドブロック１０の長さ方向の両側面に形成されたデッキ溝１１の中の一つと対応して斜めに予め設定された角度で傾けて挿入する。
【００８１】
次に、ｂのように、マザーデッキベースの縁に位置するユニットデッキベースにａと類似さ方式にウッドブロック１０を挿入することができる。
【００８２】
以後、ｃのように、マザーデッキベースのユニットデッキベースにａ及びｂと類似する方式にウッドブロック１０を挿入することができる。ただし、ｂとは反対の方向に力を加えることができる。力を加える方向は図５に表示された矢印で確認することができる。あわせて、力を加える順番も図５のａ、ｂ、ｃを通じて、直観的に確認することができる。
【００８３】
次に、図６のａ及びｂを参考にすれば、すべてのデッキベース２０とウッドブロック１０の間の結合が完了されれば、デッキベース２０の下部に現場の条件に合わせて、第１ピラー３１、第２ピラー３２及び／または防振ゴム３３を組み合わせたレベル調節ピラー３０をデッキベース２０のコア２２で締結することができる。
【００８４】
レベル調節ピラー３０の最終先端に配置されるウッドブロック足の防振ゴム３３は、歩行の際に衝撃を吸収して、歩行感を向上させることができる。
【００８５】
一方、本発明では衝撃吸収の性能をさらに改善するために、デッキベース２０の上部に緩衝部を配置することができる。以下では、これに関して添付された図面を参考に説明することにする。
【００８６】
図７から図１４は本発明によるウッドブロックモジュールの構成にまたの他の構成について説明するための図面である。以下では、以上で説明した部分に関する説明は省略されることができる。以下の図面で前述して説明した部分に対する識別符号は省略されることができる。
【００８７】
図７を見ると、本発明によるウッドブロックモジュールはデッキベース２０の上部に配置される緩衝部４０をさらに含むことができる。
【００８８】
このような緩衝部４０は衝撃及び騒音を効果的に吸収／遮断するためのソフトな材質を含むことができる。例えば、緩衝部４０はゴム材質、樹脂材質、シリコン材質、プラスチック材質などで制作されることができる。製造単価、衝撃及び／または騒音の吸収／遮断性能、成形性などを考慮する際、緩衝部４０はゴム材質を含むことが望ましいことがある。
【００８９】
緩衝部４０を安着させるためにデッキベース２０には安着部２９が形成されることができる。
【００９０】
緩衝部４０は安着部２９に安着されるために少なくとも一つの緩衝脚４１、４２を含むことができる。
【００９１】
緩衝脚４１、４２はデッキベース２０に向け突出されることができる。
【００９２】
緩衝部４０はウッドブロック１０と交差する方向に（例えば、直交する方向）安着部２９に配置されることができる。
【００９３】
これのため、安着部２９もウッドブロック１０と交差する方向にデッキベース２０に形成されることができる。例えば、安着部２９はウッドブロック１０と交差する方向に枠２６の対向する二つの辺を連結することができる。
【００９４】
例えば、図７のように、枠２６が第１辺（Ｆｉｒｓｔ  Ｓｉｄｅ、Ｓ１）、第１辺Ｓ１に隣接する第２辺（Ｓｅｃｏｎｄ  Ｓｉｄｅ、Ｓ２）、第２辺Ｓ２に隣接して第１辺Ｓ１と対向する第３辺（Ｔｈｉｒｄ  Ｓｉｄｅ、Ｓ３）、第１辺Ｓ１及び第３辺Ｓ３と隣接して第２辺Ｓ３と対向する第４辺（Ｆｏｕｒｔｈ  Ｓｉｄｅ、Ｓ４）を含む場合を想定してみよう。
【００９５】
この場合、安着部２９は枠２６の第１辺Ｓ１から第３辺Ｓ３まで延長されることができる。
【００９６】
本文書では、一つのデッキベース２０に２個の安着部２９が形成される場合を説明しているが、一つのデッキベース２０に形成される安着部２９の個数は多様に変形されることができる。例えば、一つのデッキベース２０に一つの安着部２９が形成される場合もできる。
【００９７】
安着部２９はお互いに並ぶ第１壁（Ｆｉｒｓｔ  Ｗａｌｌ、５１）、第２壁（Ｓｅｃｏｎｄ  Ｗａｌｌ、５２）及び第３壁（Ｔｈｉｒｄ  Ｗａｌｌ、５３）を含むことができる。
【００９８】
第１壁５１と第２壁５２はウッドブロック１０と交差する方向に所定距離離隔されて、第２壁５２と第３壁５３もウッドブロック１０と交差する方向に所定距離離隔されることができる。これにより、第１壁５１、第２壁５２及び第３壁５３が所定のレール（Ｒａｉｌ）を形成することができる。
【００９９】
緩衝部４０は第１、２、３壁５１、５２，５２が形成するレールに安着／固定されることができる。
【０１００】
安着部２９は少なくとも一つの連結橋２５を横切ることができる。これにより、安着部２９が横切った連結橋２６は二つに分割されることができる。
【０１０１】
例えば、少なくとも一つの連結橋２５は安着部２９により内部連結橋２５ａ‐１、２５ｂ−１と外部連結橋２５ａ‐２、２５ｂ−２に分割されることができる。
【０１０２】
このような場合、外部連結橋２５ａ−２、２５ｂ−２の長さは内部連結橋２５ａ−１、２５ｂ−１の長さよりさらに短いことができる。
【０１０３】
本文書では安着部２９が３個の壁５１、５２、５３を含めて、これに対応して緩衝部４０が二つの緩衝脚４１、４２を含む場合を説明しているが、本発明はこれに限定されないこともできる。例えば、安着部２９が二つの壁を含めて、これに対応して緩衝部４０は一つの緩衝脚を含む場合も可能である。
【０１０４】
緩衝部４０は、図８の場合のように、安着部２９に安着されることができる。例えば、緩衝部４０の第１緩衝脚４１が安着部２９の第１壁５１と第２壁５２の間の空間に挿入されて、第２緩衝脚４２が安着部２９の第１壁５１と第３壁５３の間の空間に挿入されることによって、緩衝部４０は安着部２９により支持されることができる。
【０１０５】
緩衝部４０が安着部２９に安着された状態で緩衝部４０は安着部２９よりウッドブロック１０に向けって所定の高さＤ１ほどさらに突出されることができる。
【０１０６】
このような場合、ウッドブロック１０が緩衝部４０にさらに密着されることができる。
【０１０７】
図９を見ると、安着部２９の第１壁５１の高さが第２壁５２及び／または第３壁５３の高さよりＤ３ほどさらに低いことができる。
【０１０８】
このような場合、緩衝部４０と安着部２９の結合力が向上されることができる。
【０１０９】
このような構造でも緩衝部４０が安着部２９に安着された状態で緩衝部４０は安着部２９よりウッドブロック１０に向け所定の高さＤ２ほどさらに突出されることができる。
【０１１０】
または、図１０の場合のように、安着部２９の第１壁５１の高さが第２壁５２及び／または第３壁５３のたかさよりさらに低く、緩衝部４０が安着部２９に安着された状態で緩衝部４０と安着部２９の高さはほぼ同じものが可能である。
【０１１１】
図１１を見ると、緩衝部２９の第１壁５１、第２壁５２、及び第３壁５３は下部でお互いに連結されることができる。
【０１１２】
このような場合、第１壁５１と第２壁５２の間の空間及び第１壁５１と第３壁５３の間の空間の下部は閉鎖（Ｃｌｏｓｅｄ）されることができる。
【０１１３】
図１１で説明していない識別符号ＢＰは緩衝部２９の下部面を指称することができる。
【０１１４】
または、図１２の場合のように、第１壁５１と第２壁５２の間の空間及び第１壁５１と第３壁５３の間の空間の下部は開放（Ｏｐｅｎ）されることができる。
【０１１５】
このような場合、緩衝部４０の緩衝脚４１，４２の長さを自由に調節することができる。
【０１１６】
図１３を見ると、安着部２９に緩衝部４０が安着された状態でデッキベース２０の上部にウッドブロック１０が配置されることができる。これによって、歩行者が歩行の際に、ウッドブロック１０を踏むと、その衝撃が緩衝部４０により吸収／遮断／相殺されることができる。これにより、騒音の発生が低減されることができる。
【０１１７】
あわせて、緩衝部４０によりウッドブロック１０がさらに密着されることができる。
【０１１８】
ウッドブロックモジュール１の上部にはウッドブロック１０に隠され、緩衝部４０が観察されないことがある。
【０１１９】
ウッドブロック１０の配置方法については、以上で詳しく説明したので、これ以上の説明は省略する。
【０１２０】
図１４のＡでは３×３のパターンで総９個のユニットデッキベースを含むマザーデッキベースの場合の一例が開示されている。
【０１２１】
Ａに示すように、それぞれのユニットデッキベースには二個の緩衝部４０が配置されることを確認することができる。
【０１２２】
Ａはマザーデッキベースを前方で観察した様子である。
【０１２３】
このようなマザーデッキベースを後方で観察した様子が図１４のＢに開示されている。
【０１２４】
Ｂを緩衝部４０の下部面ＢＰには所定の説明、コメント（Ｃｏｍｍｅｎｔｓ）、ロゴなどを表示することができる。
【０１２５】
一方、以上ではコア２２の内側に内部橋２７が配置される場合のみを説明したが、これとは異なって本発明で内部橋２７は省略されることができる。これに関して、構成の一例が図１５に開示されている。
【０１２６】
図１５の内容は前述で説明した部分を通じて十分に類推されるので、これ以上の説明は省略する。
【０１２７】
以上で詳しく説明したように、本発明によるウッドブロックモジュール１はデッキベース２０を用いることにより、釘、ネジなどの別の締結手段なくでも、単独の施工が可能である。
【０１２８】
あわせて、本発明によるウッドブロックモジュール１はデッキベース２０とレベル調節ピラー３０の組み合わせで室内及び室外のとこでも円滑な排水ができる。
【０１２９】
あわせて、本発明によるウッドブロックモジュール１は複雑な下部構造材が要らないので施工と補修が非常に簡単であり、一般のウッドの施工と異なりパターンの施工ができ、美的要素まで提供することができる。
【０１３０】
あわせて、本発明によるウッドブロックモジュール１は歩行中に発生することができる騒音を抑制することができ、歩行感の増進させることができる。
【０１３１】
あわせて、本発明によるウッドブロックモジュール１は緩衝部４０によりウッドブロック１０をさらに密着させることができ、木材の収縮の際に発生することができる押される現象を補償することができる。
【０１３２】
以上のように、本明細書と図面では本発明の望ましい実施例について開示しており、たとえ特定の用語が用いられたが、これは単に本発明の技術の内容を容易に説明して発明の理解を助けるための一般的な意味で用いられたものであって、本発明の範囲を限定するものではない。ここで開示された実施例以外にも本発明の技術的思想に基づいた他の変形例が実施可能であることは本発明が属する技術分野で通常の知識を有する者に自明である。
【図１】
2021514434.tif 000003
【図２】
2021514434.tif 000004
【図３】
2021514434.tif 000005
【図４】
2021514434.tif 000006
【図５（ａ）】
2021514434.tif 000007
【図５（ｂ）】
2021514434.tif 000008
【図５（ｃ）】
2021514434.tif 000009
【図６（ａ）】
2021514434.tif 000010
【図６（ｂ）】
2021514434.tif 000011
【図７】
2021514434.tif 000012
【図８】
2021514434.tif 000013
【図９】
2021514434.tif 000014
【図１０】
2021514434.tif 000015
【図１１】
2021514434.tif 000016
【図１２】
2021514434.tif 000017
【図１３】
2021514434.tif 000018
【図１４（Ａ）】
2021514434.tif 000019
【図１４（Ｂ）】
2021514434.tif 000020
【図１５】
2021514434.tif 000021
【国際調査報告】
2021514434.tif 000022
2021514434.tif 000023
2021514434.tif 000024
2021514434.tif 000025